(57)【特許請求の範囲】
【請求項１】
取付面に固定される一対のサイドブラケット間に巻取軸を回転可能に支持し、前記巻取軸からスクリーンを垂下して該巻取軸を回転させることによりスクリーンを昇降可能とし、前記巻取軸内には該巻取軸をスクリーン巻取り方向に付勢する付勢手段と、前記付勢手段の付勢力による巻取軸の回転を前記巻取軸の所定回転毎に阻止してスクリーンを所望位置に吊下支持するクラッチ装置とを備えたロールブラインドにおいて、
前記サイドブラケットの外側から該サイドブラケットと前記巻取軸端部のパイプキャップにロック棒を挿通して、前記巻取軸の回転を阻止するストッパ装置を備え、
前記ストッパ装置は、
前記サイドブラケットに開口される挿通孔と、
前記巻取軸端部のパイプキャップに設けられる係止孔と、
前記挿通孔及び係止孔に挿通可能としたロック棒とを備え、
前記係止孔を、前記クラッチ装置が作動したとき、前記挿通孔と連通する位置に設けたことを特徴とするロールブラインド。
【請求項２】
前記ロック棒を六角棒で構成し、前記挿通孔は前記ロック棒を挿通可能とする六角孔で形成したことを特徴とする請求項１に記載のロールブラインド。
【請求項３】
前記付勢手段は、前記巻取軸のスクリーン巻戻し方向の回転に基づいて蓄勢されるスプリングモータで構成し、前記スプリングモータの初期巻トルクを調整する調整ハンドルを前記ロック棒として使用することを特徴とする請求項１又は２記載のロールブラインド。
【請求項４】
前記サイドブラケット間に複数の巻取軸を回転可能に支持し、前記巻取軸からそれぞれスクリーンを垂下し、該巻取軸のスクリーン巻き取り方向を互いに逆方向とし、前記各巻取軸に対し前記ストッパ装置を備えたことを特徴とする請求項１乃至３のいずれか１項に記載のロールブラインド。
【発明の詳細な説明】
【技術分野】
【０００１】
この発明は、巻取軸内に配設されるスプリングモータによりスクリーンを引き上げ、あるいはスクリーンの引き上げ操作に要する操作力を軽減するようにしたロールブラインドに関するものである。
【背景技術】
【０００２】
ロールブラインドは、取付面に回転可能に支持された巻取軸からスクリーンが垂下され、その巻取軸をスクリーン巻取り方向に回転させるとスクリーンが引き上げられ、巻取軸をスクリーン巻戻し方向に回転されるとスクリーンが下降する。
【０００３】
このようなロールブラインドの一種類として、巻取軸内にスプリングモータとクラッチ装置が配設され、そのスプリングモータの付勢力によりスクリーンの引き上げ操作を行うようにしたものがある。
【０００４】
このようなロールブラインドでは、操作手段によりスクリーンを下降させるとスプリングモータが蓄勢され、クラッチ装置を作動させると、スクリーンが所望位置で吊下支持される。また、クラッチ装置の作動を解除すると、スプリングモータの付勢力により巻取軸がスクリーン巻取り方向に回転されて、スクリーンが引き上げられる。
【０００５】
このように構成されたロールブラインドにおいて、スクリーンを洗濯するために、同スクリーンを巻取軸から取り外す場合には、スクリーンをすべて巻戻した状態でクラッチ装置を作動させ、この状態でスクリーンの上端部を巻取軸から取り外す必要がある。
【特許文献１】特開２００５−２７３１４１号公報
【特許文献２】特開２００２−２２７５６７号公報
【特許文献３】特開平９−３２４５８７号公報
【発明の開示】
【発明が解決しようとする課題】
【０００６】
上記のようなスクリーンの取り外し操作時に、スクリーンの上端部を巻取軸から取り外す際、巻取軸を不用意に所定角度以上スクリーン巻戻し方向に回転させてしまうと、クラッチ装置が解除されてしまい、スプリングモータの付勢力により巻取軸が回転して、スプリングモータが去勢されてしまう。
【０００７】
このような場合には、スプリングモータの初期巻トルクの調整を再度行う必要があり、その作業が煩雑である。
特許文献１には、スクリーンをすべて巻戻したとき巻取軸の回転を阻止するストッパが種々開示されているが、いずれも構造が複雑で部品点数が増大し、コストも上昇するという問題点がある。また、クラッチ装置が作動する位置で巻取軸の回転を阻止する構成は開示されていない。
【０００８】
特許文献２には、初期巻トルクの調整装置が開示されているが、スクリーンをすべて巻戻したとき、巻取軸の回転を阻止する構成は開示されていない。
特許文献３には、巻取軸内に配設されるクラッチ装置が開示されている。
【０００９】
この発明の目的は、巻取軸へのスクリーンの着脱操作時に、クラッチ装置の無用な作動解除を防止し得るストッパ装置を備えたロールブラインドを簡便な構成で提供することにある。
【課題を解決するための手段】
【００１０】
請求項１では、取付面に固定される一対のサイドブラケット間に巻取軸を回転可能に支持し、前記巻取軸からスクリーンを垂下して該巻取軸を回転させることによりスクリーンを昇降可能とし、前記巻取軸内には該巻取軸をスクリーン巻取り方向に付勢する付勢手段と、前記付勢手段の付勢力による巻取軸の回転を前記巻取軸の所定回転毎に阻止してスクリーンを所望位置に吊下支持するクラッチ装置とを備えたロールブラインドにおいて、前記サイドブラケットの外側から該サイドブラケットと前記巻取軸端部のパイプキャップにロック棒を挿通して、前記巻取軸の回転を阻止するストッパ装置を備え、前記ストッパ装置は、前記サイドブラケットに開口される挿通孔と、前記巻取軸端部のパイプキャップに設けられる係止孔と、前記挿通孔及び係止孔に挿通可能としたロック棒とを備え、前記係止孔を、前記クラッチ装置が作動したとき、前記挿通孔と連通する位置に設けた。
【００１４】
請求項２では、前記ロック棒を六角棒で構成し、前記挿通孔は前記ロック棒を挿通可能とする六角孔で形成した。
請求項３では、前記付勢手段は、前記巻取軸のスクリーン巻戻し方向の回転に基づいて蓄勢されるスプリングモータで構成し、前記スプリングモータの初期巻トルクを調整する調整ハンドルを前記ロック棒として使用する。
【００１５】
請求項４では、前記サイドブラケット間に複数の巻取軸を回転可能に支持し、前記巻取軸からそれぞれスクリーンを垂下し、該巻取軸のスクリーン巻き取り方向を互いに逆方向とし、前記各巻取軸に対し前記ストッパ装置を備えた。
【発明の効果】
【００１６】
本発明によれば、巻取軸へのスクリーンの着脱操作時に、クラッチ装置の無用な作動解除を防止し得るロールブラインドのストッパ装置を簡便な構成で提供することができる。
【発明を実施するための最良の形態】
【００１７】
（第一の実施の形態）
以下、この発明を具体化した第一の実施の形態を図面に従って説明する。図１及び図２に示すロールブラインドは、取付ブラケット１７を介して取付面１８に固定されるフレーム１の両端にサイドブラケット２が取着され、そのサイドブラケット２間に巻取軸３が回転可能に支持されている。
【００１８】
前記巻取軸３にはスクリーン４が巻着されている。そして、巻取軸３がスクリーン巻取り方向に回転されるとスクリーン４が引き上げられ、巻取軸３がスクリーン巻戻し方向に回転されるとスクリーン４が下降する。
【００１９】
前記スクリーン４の下端部にはウェイトバー５が吊下支持され、そのウェイトバー５の長手方向中央部からプルコード６が垂下されている。そして、プルコード６を下方へ引くことによりスクリーン４を下方へ引き出し可能である。
【００２０】
前記巻取軸３内には、公知のスプリングモータ（付勢手段）７、クラッチ装置８及びダンパー９が配設されている。スプリングモータ７は捩りコイルスプリングで構成され、その一端は常には初期巻トルク調整装置を介してサイドブラケット２に対し回転不能に支持され、他端は巻取軸３に固定されている。そして、巻取軸３がスクリーン巻戻し方向に回転されると、スプリングモータ７が蓄勢されるようになっている。
【００２１】
前記クラッチ装置８は、スクリーン４を巻戻し操作した後はスプリングモータ７の付勢力による巻取軸３の回転を阻止する。また、巻取軸３の回転を阻止している状態から、巻取軸３が所定角度以内でスクリーン巻戻し方向に回転されると、クラッチ装置８の作動が解除されて、スプリングモータ７の付勢力により巻取軸３がスクリーン巻取り方向に回転されるようになっている。
【００２２】
なお、このクラッチ装置８は９０度間隔で巻取軸３の回転を阻止可能であり、巻取軸３が９０度を超えない範囲でスクリーン巻戻し方向に回転されると、その作動が解除されるようになっている。
【００２３】
前記ダンパー９は、スプリングモータ７の付勢力による巻取軸３の回転速度を所定速度以下に抑制し、スクリーン４が上限まで引き上げられたとき、ウェイトバー５とフレーム１あるいは取付面との衝突音を抑制している。
【００２４】
図３に示すように、前記巻取軸３の両端部にはパイプキャップ１０がそれぞれ嵌着され、そのパイプキャップ１０が前記サイドブラケット２に取着されたブラケットシャフト１１に回転可能に支持されている。
【００２５】
前記パイプキャップ１０には、図５に示すように、ブラケットシャフト１１側に向かって開口する８個の長孔状の係止孔１２が同一円周上に形成されている。前記係止孔１２は、クラッチ装置８の作動位置に対応して９０度間隔で４箇所形成され、さらにスクリーンの巻き取り方向の異なるロールブラインドのクラッチ装置に対応する４つの係止孔１２が９０度間隔で形成されている。
【００２６】
前記ブラケットシャフト１１の上部には六角孔状の挿通孔１３が貫通され、その挿通孔１３は、図４に示すように、サイドブラケット２の側面に露出されている。また、挿通孔１３は前記係止孔１２の移動軌跡上に形成され、前記クラッチ装置８が作動して巻取軸３のスクリーン巻戻し方向の回転が阻止されている状態では、挿通孔１３と係止孔１２のいずれかが連通するようになっている。
【００２７】
従って、クラッチ装置８が作動した状態では、図６に示すように、六角棒をクランク状に屈曲した調整ハンドル（ロック棒）１４をサイドブラケット２の側面側から挿通孔１３を経て係止孔１２に挿通可能となっている。また、各サイドブラケット２に挿通孔１３が開口され、巻取軸３両端の各パイプキャップ１０に係止孔１２が形成されているので、調整ハンドル１４はいずれのサイドブラケット２に開口される挿通孔１３にも挿入可能である。
【００２８】
前記調整ハンドル１４は、前記スプリングモータ７の初期巻トルクを調整するための工具として用意されたものであり、図２に示すように、スプリングモータ７側のブラケットシャフト１１の中心に露出される六角孔状の調整孔１５に挿入可能である。その調整孔１５は、前記巻取軸３内の初期巻トルク調整装置からパイプキャップ１０及びブラケットシャフト１１を貫通してサイドブラケット２の側面に露出される調整軸１６に形成されている。
【００２９】
そして、調整ハンドル１４を調整孔１５に嵌合して回転させることにより、スプリングモータ７の初期巻トルクを調整可能となっている。
上記のように構成されたロールブラインドでは、プルコード６を下方へ引けば、スクリーン４が巻取軸３から巻戻され、ウェイトバー５が下降する。このとき、スプリングモータ７が蓄勢される。
【００３０】
スクリーン４を所望位置まで下降させた後、プルコード６を手放すと、クラッチ装置８が作動して、スプリングモータ７の付勢力による巻取軸３の回転が阻止され、スクリーン４が所望位置に吊下支持される。
【００３１】
この状態から、プルコード６を下方へ引いて、巻取軸３を９０度以内で回転させた後プルコード６を手放すと、クラッチ装置８が解除され、スプリングモータ７の付勢力に基づいてスクリーン４が巻取軸３に巻き取られる。
【００３２】
上記のようなロールブラインドのスクリーン４を洗濯する場合には、スクリーン４を巻取軸３からすべて巻戻した状態でクラッチ装置８を作動させ、スプリングモータ７の付勢力による巻取軸３の回転を阻止する。
【００３３】
この状態で、調整ハンドル１４を挿通孔１３から係止孔１２に挿通する。すると、巻取軸３はサイドブラケット２に対し回転不能となるため、スクリーン４の上端部を巻取軸３から取り外す際、クラッチ装置８の作動が不用意に解除されることはない。
【００３４】
また、スクリーン４を洗濯した後、そのスクリーン４の上端部を巻取軸３に取着し、その後調整ハンドル１４を挿通孔１３から引き抜けば、クラッチ装置８の作動を解除して、スクリーン４を昇降可能な状態となる。
【００３５】
上記のように構成されたロールブラインドでは、次に示す作用効果を得ることができる。
（１）スクリーン４を巻取軸３に着脱操作する際、クラッチ装置８の作動解除を阻止して、スプリングモータ７の蓄勢力を保持することができる。
（２）スクリーン４を巻取軸３に着脱操作する際、スプリングモータ７の蓄勢力を保持することができるので、スプリングモータ７の初期巻トルクの再調整を行う必要はない。
（３）ブラケットシャフト１１に設けた挿通孔１３と、パイプキャップ１０に設けた係止孔１２に調整ハンドル１４を挿通する簡便なストッパ装置により、部品点数を増大させることなく、クラッチ装置８の作動解除を阻止することができる。
（４）クラッチ装置８を作動させた状態で、挿通孔１３と係止孔１２とを連通させることができるので、調整ハンドル１４の挿通により巻取軸３の回転を阻止してクラッチ装置８の無用な作動解除を阻止することができる。
（５）初期巻トルク調整用の調整ハンドル１４を利用してクラッチ装置８の作動解除を阻止することができるので、部品点数の増大を防止することができる。
（６）六角棒上の調整ハンドル１４を六角孔状の挿通孔１３に挿通する構成としたので、調整ハンドル１４を挿通孔１３から容易には脱落しないようにすることができる。
（７）係止孔１２を長孔としたので、挿通孔１３に対する係止孔１２の回転方向の位置ずれにも対応することができる。
（第二の実施の形態）
図７〜図９は、第二の実施の形態を示す。この実施の形態は、サイドブラケット間に２本の巻取軸を支持し、その巻取軸からそれぞれ独立してスクリーンを昇降可能としたものである。前記第一の実施の形態と同一構成部分は、同一符号を付して説明する。
【００３６】
サイドブラケット２１はフレーム２２の両端部に固定され、そのサイドブラケット２１間に２本の巻取軸２３ａ，２３ｂが回転可能に支持されている。すなわち、第一の実施の形態と同様に、各巻取軸２３ａ，２３ｂの両端部にはパイプキャップ１０が嵌着され、そのパイプキャップ１０がサイドブラケット２１に取着されたブラケットシャフト１１に回転可能に支持されている。
【００３７】
また、各サイドブラケット２１の側面には、前記第一の実施の形態と同様に調整ハンドル１４を挿通可能とした挿通孔２６ａ，２６ｂが開口されている。
前記サイドブラケット２１に対する巻取軸２３ａ，２３ｂの支持位置は、巻取軸２３ａから吊下支持されるスクリーン２４ａが巻取軸２３ｂに干渉しないように、前後方向にオフセットされている。
【００３８】
また、巻取軸２３ａから垂下されるスクリーン２４ａは、巻取軸２３ａから前方すなわち室内側に垂下され、巻取軸２３ｂから垂下されるスクリーン２４ｂは、巻取軸２３ｂから後方すなわち窓側に垂下される。従って、巻取軸２３ａ，２３ｂはスクリーン巻取り方向が逆方向となり、図９に示すように、巻取軸２３ａは矢印Ａ方向に回転されるとスクリーン２４ａを巻取り可能であり、巻取軸２３ｂは矢印Ｂ方向に回転されるとスクリーン２４を巻取り可能である。
【００３９】
各スクリーン２４ａ，２４ｂの下端には、ウェイトバー５が取着され、そのウェイトバー５からプルコード６が垂下されている。
前記巻取軸２３ａ，２３ｂ内には、それぞれスプリングモータ７、ダンパー９及びクラッチ装置２５ａ，２５ｂが配設されている。スプリングモータ７は各巻取軸２３ａ，２３ｂのスクリーン巻取り方向にあわせて、その付勢方向が逆方向となるように設定されている。
【００４０】
前記クラッチ装置２５ａ，２５ｂは、各巻取軸２３ａ，２３ｂのスクリーン巻取り時の回転が逆方向となることから、その作動方向が逆方向となるように設定されている点を除いて、前記第一の実施の形態のクラッチ装置８と同様である。
【００４１】
すなわち、各クラッチ装置２５ａ，２５ｂは特許文献３に示すように、クラッチ溝を備えたクラッチドラムと、そのクラッチ溝内を移動するクラッチボールとからなる公知の構成であり、そのクラッチ溝を巻取軸のスクリーン巻き取り方向の回転に合わせて逆方向としたものである。
【００４２】
従って、クラッチ装置２５ａは巻取軸２３ａの矢印Ａ方向の回転を阻止可能であり、クラッチ装置２５ｂは巻取軸２３ｂの矢印Ｂ方向の回転を阻止可能である。
前記パイプキャップ１０に形成された８個の係止孔１２のうち、９０度間隔に位置する４個の係止孔１２は、巻取軸２３ａに対応するものであり、同じく９０度間隔に位置する他の４個の係止孔１２は巻取軸２３ｂに対応するものである。
【００４３】
そして、巻取軸２３ａのクラッチ装置２５ａが作動しているとき、挿通孔２６ａから係止孔１２に調整ハンドル１４を挿通して、巻取軸２３ａの回転を阻止可能であり、巻取軸２３ｂのクラッチ装置２５ｂが作動しているとき、挿通孔２６ｂから係止孔１２に調整ハンドル１４を挿通して、巻取軸２３ｂの回転を阻止可能である。
【００４４】
このような構成により、各巻取軸２３ａ，２３ｂの両端部に共通のパイプキャップ１０を取着しながら、各巻取軸２３ａ，２３ｂのクラッチ装置２５ａ，２５ｂを作動させた状態で、調整ハンドル１４を挿通孔２６ａ，２６ｂ及び係止孔１２に挿通することができる。
【００４５】
従って、スクリーン２４ａ，２４ｂを巻取軸２３ａ，２３ｂに対し着脱する際、調整ハンドル１４を挿通孔２６ａ，２６ｂから係止孔１２に挿通することにより、巻き取り軸２３ａ，２３ｂの回転を阻止して、クラッチ装置２５ａ，２５ｂの無用な作動解除を防止することができる。
【００４６】
上記実施の形態は、以下の態様で実施してもよい。
・調整ハンドル１４を丸棒とし、挿通孔１３を円孔としてもよい。
・クラッチ装置は、９０度間隔以外に、１２０度間隔あるいは１８０度間隔で巻取軸の回転を阻止する構成としてもよい。
・ボールチェーンの操作によりスクリーンを昇降するロールブラインドにも同様に実施することができる。この場合には、巻取軸３両端のパイプキャップ１０にプーリーを一体に成型し、そのプーリーのいずれかにボールチェーンを掛装することにより、右側操作と左側操作とを選択可能としたロールブラインドを構成することができる。そして、左右のプーリーに前記係止孔を設けることにより、ボールチェーンが掛装されていないプーリーの係止孔に、サイドブラケット２の挿通孔１３から調整ハンドル１４を挿通して、巻取軸３の回転を阻止することができる。
【図面の簡単な説明】
【００４７】
【図１】第一の実施の形態のロールブラインドを示す正面図である。
【図２】第一の実施の形態のロールブラインドを示す側面図である。
【図３】ブラケットシャフト及びパイプキャップを示す分解斜視図である。
【図４】サイドブラケット及び調整ハンドルを示す斜視図である。
【図５】パイプキャップを示す正面図である。
【図６】調整ハンドルをパイプキャップに挿通した状態を示す断面図である。
【図７】第二の実施の形態のロールブラインドを示す正面図である。
【図８】第二の実施の形態のロールブラインドを示す側面図である。
【図９】第二の実施の形態のロールブラインドを示す縦断面図である。
【符号の説明】
【００４８】
２，２１…サイドブラケット、３，２３ａ，２３ｂ…巻取軸、４，２４ａ，２４ｂ…スクリーン、７…付勢手段（スプリングモータ）、８，２５ａ，２５ｂ…クラッチ装置、１０…パイプキャップ、１１…ブラケットシャフト、１２…ストッパ装置（係止孔）、１３，２６ａ，２６ｂ…ストッパ装置（挿通孔）、１４…ストッパ装置、ロック棒（調整ハンドル）、１８…取付面。
【図１】
0005422093.tif 000002
【図２】
0005422093.tif 000003
【図３】
0005422093.tif 000004
【図４】
0005422093.tif 000005
【図５】
0005422093.tif 000006
【図６】
0005422093.tif 000007
【図７】
0005422093.tif 000008
【図８】
0005422093.tif 000009
【図９】
0005422093.tif 000010